(57)【要約】  【構成】  光ピックアップ１４からのトラッキング誤差信号をマイコン２０に入力し、そのトラッキング誤差信号の振幅および／または波形に基づいて、マイコン２０は、記録密度（トラックピッチ）の異なるディスクを判別する。【効果】 ノイズの影響を受けずに正確にディスクを判別できる。  【選択図】  図１
2005174540.tif 000002
【特許請求の範囲】
【請求項１】
３ビーム方式の光ピックアップを用いたディスク装置において、
トラッキングオフ時のサブビームを用いてディスクを判別するようにしたことを特徴とする、ディスク装置。
【請求項２】
前記サブビームをそれぞれ受ける２つの受光部、および
前記２つの受光部からの信号の差分のレベルに基づいてディスクを判別する判別手段を備える、請求項１記載のディスク装置。
【発明の詳細な説明】
【技術分野】
【０００１】
この発明はディスク装置に関し、特にたとえば光ピックアップによってディスクにレーザ光を照射してＤＶＤやＣＤなどのディスクを判別する機能を備える、ディスク装置に関する。
【背景技術】
【０００２】
この種の従来技術の一例が、平成７年９月１２日付で出願公開された特開平７−２４００２７号公報［Ｇ１１Ｂ  ７／００７，７／００，１９／１２］に開示されている。この従来技術は、ＲＦ信号のレベルないしパターンによってディスクを判別するものである。
【発明の開示】
【発明が解決しようとする課題】
【０００３】
しかし、ＲＦ信号は読み出し信号となるものであり、一般的に、ノイズ除去用フイルタを通したりすることはできず、ノイズの影響を受け易いといった問題があった。また、そのようなノイズを除去するためにＲＦ信号経路に付加回路を設けるとＲＦ信号が劣化し、データエラーが生じ、結局、従来技術ではノイズによって誤判別する可能性がある。
【０００４】
それゆえに、この発明の主たる目的は、ノイズの影響が小さい新規なディスク機能を備える、ディスク装置を提供することである。
【課題を解決するための手段】
【０００５】
この発明は、３ビーム方式の光ピックアップを用いたディスク装置において、トラッキングオフ時のサブビームを用いてディスクを判別するようにしたことを特徴とする、ディスク装置である。
【発明の効果】
【０００６】
この発明によれば、トラッキング誤差信号を用いてＣＤやＤＶＤなどのディスクを判別するので、ノイズの影響による誤判別の可能性がない。つまり、トラッキング誤差信号はメインビーム（ＲＦ信号）に比べて帯域が狭い上に、その信号経路には一般にサーボフィルタが介挿されているため、ノイズに強く、データエラー等を生じることがなく、したがって正確にディスクを判別することができる。
【０００７】
この発明の上述の目的，その他の目的，特徴および利点は、図面を参照して行う以下の実施例の詳細な説明から一層明らかとなろう。
【発明を実施するための最良の形態】
【０００８】
３ビーム法のサブビームによってトラッキング誤差信号を検出し、そのとき得られる差分のレベルによってディスクを判別する。具体的には、トラックピッチの異なる第１および第２のディスクにおいて、第１のディスクのトラックピッチに合わせてサブビーム検出用受光素子を配置してトラッキング誤差信号を検出した場合、第２のディスクでは第１のディスクと同じようなトラッキング誤差信号は得られないことを利用してディスクを判別する。
【実施例】
【０００９】
図１に示す実施例のディスク装置１０は、ディスク１２を再生するための光ピックアップ１４を含み、光ピックアップ１４からの信号は、ＲＦアンプ１６を経て、ＤＳＰ(Digital Signal Processing Circuit) １８に与えられるとともに、Ａ／Ｄマイコン２０に与えられる。
【００１０】
光ピックアップ１４は、図示しないが、周知のように、レーザ素子からのレーザ光を回折格子によってメインビームとサブビームとに分け、それらをハーフミラーおよび対物レンズを通してディスク１２（図１）の記録面に照射する。ディスク記録面から反射されたメインビームおよびサブビームは、それぞれ、対物レンズおよびハーフミラーを通って、図２に示す受光素子２２に入射される。
【００１１】
光ピックアップ１４の受光素子２２は、図２に示すように、メインビームを受ける４つの受光領域２２ａ，２２ｂ，２２ｃおよび２２ｄと、２つのサブビームを個別に受ける２つの受光領域２２ｅおよび２２ｆとを含み、サブビーム受光領域２２ｅおよび２２ｆは、メインビーム受光領域２２ａ〜２２ｄを挟むように配置される。このサブビーム受光領域２２ｅおよび２２ｆは、トラッキング誤差信号（Ｅ−Ｆ）を検出するためのものであり、したがって使用ディスクのトラックピッチに合致する位置（この例では１８０°）に配置される。メインビーム受光素子２２ａ〜２２ｄからの信号は上述のＲＦ信号（Ａ＋Ｂ＋Ｃ＋Ｄ）となり、さらには、フォーカス誤差信号（Ａ＋Ｄ）−（Ｂ＋Ｃ）として用いられる。そして、メインビーム（０次光）がディスクトラックの中心を通るとき、サブビーム（１次光）を受光する領域２２ｅおよび２２ｆにおける光検出量（Ｅ−Ｆ＝０）は等量であり、メインビームがトラック中心を外れると、領域２２ｅおよび２２ｆにおける光検出量は相違し、したがってトラッキング誤差信号（Ｅ−Ｆ）が生じる。
【００１２】
フＲＦアンプ１６からのフォーカス誤差信号（Ａ＋Ｄ）−（Ｂ＋Ｃ）は、フォーカスサーボ回路２４に与えられ、トラッキング誤差信号（Ｅ−Ｆ）はトラッキングサーボ回路２６に与えられる。したがって、これらサーボ回路２４および２６によって、従来周知のフォーカスサーボおよびトラッキングサーボが実行される。
【００１３】
この実施例では、トラッキング誤差信号（Ｅ−Ｆ）は、さらに、マイコン２０のＡ／Ｄポートに与えられ、したがってマイコン２０にはトラッキング誤差信号データが取り込まれる。マイコン２０は、以下に詳細に説明するように、トラッキング誤差信号を利用して、ＣＤまたはＤＶＤなどのディスクを判別する。
【００１４】
図３に示す最初のステップＳ１では、マイコン２０は、トラッキングサーボ回路２６をオフ（不能動作）する。ついでステップＳ２でフォーカスサーボ回路２４をオン（能動作）する。したがって、フォーカスサーボ回路２４は、フォーカス誤差信号によって光ピックアップ１４のディスク１２の記録面に直交する方向の位置を制御する。
【００１５】
ステップＳ３では、マイコン２０は、スピンドルモータ２８を駆動してディスク２０を回転させる。そして、ステップＳ４では、マイコン２０は、Ａ／Ｄポートから入力されたトラッキング誤差信号を検出する。この時点でトラッキングサーボ回路２６はオフされていて、他方、受光領域２２ｅおよび２２ｆは図２に示すように１８０°の位相差で配置されているので、この受光領域２２ｅおよび２２ｆからそれぞれ出力される信号のトラッキング誤差信号（Ｅ−Ｆ）は、図４に示すように、正弦波に類似した波形になる。
【００１６】
これに対して、トラックピッチすなわちディスクが予め想定されているものとは異なるとき、サブビームの角度がずれるだけでなく、ビーム径がピット形状に合っていないため、受光素子２２（図２）からの出力信号もその影響を受け、トラッキング誤差信号（Ｅ−Ｆ）は、図４に示すように、振幅が少ないだけでなく、正弦波類似の波形でもないので、マイコン２０は、このようなディスクに応じて変化するトラッキングオフ時のトラッキング誤差信号を検出することによって、ディスクが予め想定されたもの（使用可能ディスク）かそうでないかを判別することができる。
【００１７】
実施例では、ＣＤの記録密度（トラックピッチ）に合わせてサブビーム受光領域２２ｅおよび２２ｆ（図２）が配置されているので、ディスク１２としてＣＤが装着されたときに図４のトラッキング誤差信号（Ｅ−Ｆ）が得られ、記録密度のより高いＤＶＤが装着されたとき、図５のトラッキング誤差信号が得られる。したがって、マイコン２０はトラッキングオフ時のトラッキング誤差信号の振幅および信号波形を検出することによってＣＤかＤＶＤかを判別することができる。
【００１８】
そして、ステップＳ５では、ステップＳ４の判別結果に対して判別フラグを「１」または「０」にする。実施例では、ＣＤの場合、判別フラグが「１」となり、ＤＶＤの場合「０」となる。判別フラグが「０」にセットされたとき、別のプログラムに従って、再生不可を表示または報知する。
【図面の簡単な説明】
【００１９】
【図１】この発明の一実施例を示すブロック図である。
【図２】図１実施例の光ピックアップの受光部を示す図解図である。
【図３】図１実施例の動作を示すフロー図である。
【図４】図１実施例においてＣＤを装着したときのトラッキング誤差信号を示す波形図である。
【図５】図１実施例においてＤＶＤを装着したときのトラッキング誤差信号を示す波形図である。
【符号の説明】
【００２０】
１０  …ディスク装置
１２  …ディスク
１４  …光ピックアップ
１６  …ＲＦアンプ
２０  …Ａ／Ｄマイコン
２２  …受光部
２４  …フォーカスサーボ回路
２６  …トラッキングサーボ回路
【図１】
2005174540.tif 000003
【図２】
2005174540.tif 000004
【図３】
2005174540.tif 000005
【図４】
2005174540.tif 000006
【図５】
2005174540.tif 000007